(57)【要約】【課題】携帯電話、ＰＨＳ等の文字入力装置に於いて、通常の文字入力には同一数字の複数の押圧が必要であるという課題があった。【解決手段】上記の課題を解決するため、本発明は入力された文字及び記号を記憶手段とを有する文字入力装置に於いて、入力手段より直前に入力された文字及び記号を次のキー操作に対応する文字及び記号の割り当て順序を動的に変化させる候補並べ替え機能を設けることにより、文字入力装置文字確定に伴い入力キーに対応した文字候補の出現順序を入れ替えることが可能となり、固定された文字及び記号の候補の順に押圧するよりも速く目的の文字及び記号の候補を選択することが可能となる。【選択図】　　　図１
2004118253.tif 000002
【特許請求の範囲】
【請求項１】
数字入力のための１０個のキーと、記号入力のための２つのキーと、各々のキーに複数の文字及び記号を対応してなる入力手段と、同一のキーの入力回数により順次キーに対応する文字及び記号の候補並べ替え手段と、入力された文字及び記号を表示するための表示手段と、入力された文字及び記号を記憶手段とを有する文字入力装置に於いて、前記候補並べ替え手段は、入力手段より直前に入力された文字及び記号を次のキー操作に対応する文字及び記号の割り当て順序を動的に変化させることを特徴とする文字入力装置。
【請求項２】
前記候補並べ替え手段は、入力手段より直前に入力された頻度の高い文字及び記号の順に、割り当て順序を動的に変化させることを特徴とする請求項１に記載の文字入力装置。
【発明の詳細な説明】
【０００１】
【発明の属する技術分野】
本発明は、携帯電話、ＰＨＳ、パソコン機器において文字を入力するための文字入力装置に関するものである。
【０００２】
【従来の技術】
近年、携帯電話、ＰＨＳを用いて文字による通信を行う機械が著しく増加している。これらの携帯電話やＰＨＳには図４に示すような０〜９の数字を入力するための１０個の数字キーと「＊」及び「＃」の記号を入力するための記号キーが設けられ、３行４列に配置されているのみで文字入力のための専用のキーは存在しない。これらのキーは本来は電話の機能であるダイヤル操作のためのキーであるため「ダイヤルキー」と呼ばれている。文字入力を行うためには、「ダイヤルキー」に複数の文字を関連づけて順次表示させて対応するキーを選択して入力を行う必要がある。
従来の入力支援の方法には、利用頻度の高い順番に電話帳のデーターを並べ替える方法（例えば、特許文献１参照）や、電話番号や個人名を使用頻度に応じて並べ替え優先的に表示させる方法（例えば、特許文献２参照）が開示されているが、いずれも文字の入力には従来通りの順番に割り振る方法が用いられており、データーの検索等の高速化を図るもので、入力自体の高速化を図るものが無かった。
【０００３】
【特許文献１】
特開２００１−２８５４５０号公報（第３−６項、第２図）
【特許文献２】
特開２００２−９９２８号公報（第７−９項、第１図）
【０００４】
以下従来の「ダイヤルキー」を用いた文字入力について説明する。
図４において０〜９の１０個の数字キーにはそれぞれカタカナのア行〜ワ行及び記号類を割り当てておき、この数字キーを連続して押圧することにより対応する各行の文字を選択可能としている。
例えば、「やまだ」を入力するためには８＋７＋４＋＊の押圧により入力を行う。また、別の列文字や小文字は当該数字の連続する押圧により選択が可能で、例えば「ゆき」は８＋８＋８＋２＋２の押圧が必要である。
【０００５】
【発明が解決しようとする課題】
しかしながら、このような文字入力方法は、「１」、「２」、「３」、「４」、「５」、「６」、「７」、「８」、「９」、「０」の各数字に各行の第１列「あ」、「か」、「さ」、「た」、「な」、「は」、「ま」、「や」、「ら」、「わ」が必ず先頭に出現し、順次「い」、「き」、「し」、「ち」、「に」、「ひ」、「み」、「ゆ」、「り」、「を」と割り当てが変化していくため、通常の文字入力には同一数字の複数の押圧が必要であるという課題があった。
【０００６】
【課題を解決するための手段】
前述した課題を解決するために、以下の手段を採用する。
数字入力のための１０個のキーと、記号入力のための２つのキーと、各々のキーに複数の文字及び記号を対応してなる入力手段と、同一のキーの入力回数により順次キーに対応する文字及び記号の候補並べ替え手段と、入力された文字及び記号を表示するための表示手段と、入力された文字及び記号を記憶手段とを有する文字入力装置に於いて、前記候補並べ替え手段は、入力手段より直前に入力された文字及び記号を次のキー操作に対応する文字及び記号の割り当て順序を動的に変化させることを特徴とする文字入力装置である。
【０００７】
また、前記候補並べ替え手段は、入力手段より直前に入力された頻度の高い文字及び記号の順に、割り当て順序を動的に変化させることを特徴としている入力装置装置である。
【０００８】
【発明の実施の形態】
以下、図面に基づいて本発明の実施の形態を説明する。図１は本発明の構成を表す図である。入力手段１０１で入力されたキーに対応する文字は記憶手段１０４の記憶された中にあるデーターを先頭の文字から順次候補が表示手段１１に表示される。入力の確定された文字及び記号の候補はカウンター１０３で計測され候補並べ替え手段１０２の中の数種類の手段によって特定の条件により、候補を並べ替える。ここで、候補並べ替え手段は、入力手段より直前に入力された文字及び記号を次のキー操作に対応する文字及び記号の割り当て順序を動的に変化させる機能または入力手段より直前に入力された頻度の高い文字及び記号の順に、割り当て順序を動的に変化させることを特徴を有しており、並べら変えられた候補は時間計測手段１０５によって一定の入力がなされない場合は記憶手段１０４に記憶された初期の状態に戻される。説明のため「４」のキーに付いて考えるが、他の数字キーに付いても同様に類推することが可能である。すなわち、数字入力のための１０個のキーと、記号入力のための２つのキーと、各々のキーに複数の文字及び記号を対応してなる入力手段と、同一のキーの入力回数により順次キーに対応する文字及び記号の候補並べ替え手段と、入力された文字及び記号を表示するための表示手段と、入力された文字及び記号を記憶手段とを有する文字入力装置に於いて、前記候補並べ替え手段は、入力手段より直前に入力された文字及び記号を次のキー操作に対応する文字及び記号の割り当て順序を動的に変化させることを特徴とする。
【０００９】
図２は文字及び記号の候補並べ替え手段のアルゴリズムを示す。図に示すフローのごとく、通常時ダイヤルキー１０１の「４」のキーに対しては「た」「ち」「つ」「て」「と」「っ」が順次割り当てられている。各候補には１から６の数字が割り当てられ、表示のための参照値として用いる。「４」の押圧をカウンター１０３で検出し、コントローラ１０より最初の候補「た」が表示手段１１に表示される。さらに同一キー「４」の押圧が繰り返されると、順次「ち」「つ」「て」「と」「っ」と候補が入れ替わる（参照値が１ずつ増加することにより表示する文字及び記号が変化する）。候補の確定には図には特別に表していない別のキー（例えば矢印キー「→」）を確定のためのキーと割り当てておき、確定させると次のキーの入力に移る。その際、表示手段１１は一文字シフトしてすでに確定された文字及び記号と次の候補の表示を始めるようにコントローラ１０で制御する。割り当て順序を動的に変化させることについて実際には、記憶手段に記憶された候補テーブルには図中の数種類の手段が対応しており、別に定める条件によって選択された候補並べ替えの手段によって各々の機能が更新され、キー入力待機状態に戻る。
【００１０】
図３は本発明と従来例の押圧キーによる候補の現れ方のフロー図を本発明の一実施例を例にとって示したものである。本発明の文字及び記号の割り当て順序を動的に変化させる手段は「た」の確定に伴い、一端確定された候補「た」は最後尾に回り、「ち」「つ」「て」「と」「っ」「た」が「４」のキーに割り当てられる様に候補並べ替え手段１０２によって制御される。
【００１１】
また、本発明の候補並べ替えの手段は、入力手段より直前に入力された頻度の高い文字及び記号の順に、割り当て順序を動的に変化させることを特徴とし、前記手段が確定されたキーのみの割り当て変更であったのに対し、各キーに対して割り当て候補の変更を行う物である。例えば「４」のキーを用い「た」を確定したとすると、国語辞典によれば「た」に続く言葉の頻度は「あ」行は「い」「え」「お」「う」「あ」、「か」行は「き」「か」「く」「け」「こ」、「さ」行は「さ」「せ」「し」「す」「そ」、「た」行は「つ」「っ」「た」「ち」「て」「と」、「な」「は」「ま」行は優劣無し、「や」行は「よ」「ゆ」「や」、「ら」行は優劣無し、「わ」行は「わ」「ん」、半濁点は無しといった傾向があり、これに合わせて候補順を決定する物である。各頻度の情報は候補並べ替え手段１０２にあらかじめ付加された記憶手段１０４に記憶させておく。すなわち第一の文字入力が確定することにより当該キーの対応する文字及び記号の割り当てを第一の文字ともっとも関係の密な文字に再割り当てすることである。
【００１２】
また、本発明の候補並べ替え手段は、入力する文字列の使用頻度を計測する手段と計測された数値の多い順に割り当て候補を並べ替える手段を有し、頻度の高い文字の順に割り当て候補を入れ替えるため、各々のキーに割り当てられた文字の使用頻度をカウントする手段をカウンター１０３に設け、当該手段によりカウントされた頻度の多い順に割り当て候補を候補並べ替え手段１０２によって入れ替えるものである。これにより使用者独自の文字入力の傾向を学習し、より速く目的の文字の選択を可能としている。
【００１３】
なお、前記入力手段の文字及び記号の割り当て順序を変化させる手段は時間計測手段１０５により一定時間を経過した後に初期状態に戻し、かつ使用者の意図により通常の固定候補での使用を可能とする機能を持たせても良い。
【００１４】
この場合の一定時間とは、通常行われる第一の文字入力と第二の文字入力の時間間隔以上であって、おおむね一分程度であれば文字入力が終了したと見なして初期状態である例えばダイヤルキー１０１の「４」のキーに対しては「た」「ち」「つ」「て」「と」「っ」の順に割り当てられる。
【００１５】
説明では簡単のため、文字に対して行ったが近年の携帯電話のメール等の利用に於いては特定の絵文字の利用により仮名文字よりも頻繁に特定の記号が利用されている。このような記号を最優先に候補として出現させることが可能とした。
【００１６】
【発明の効果】
以上の説明から明らかなように、限られたキーからなる文字入力装置において、選択する文字や記号の候補を任意に並べ替えることにより、固定された文字及び記号の候補の順に押圧するよりも速く目的の文字及び記号の候補を選択することが可能となる。
【図面の簡単な説明】
【図１】本発明の一実施例の構成を示すブロック図である。
【図２】本発明の一実施例の制御部分のフロー図である。
【図３】本発明の一実施例と従来例の候補変化のフロー図である。
【図４】従来例のキー配置図である。
【符号の説明】
１０　　コントローラ
１１　　表示手段
１０１　入力手段
１０２　候補並べ替え手段
１０３　カウンター
１０４　記憶手段
１０５　時間計測手段
【図１】
2004118253.tif 000003
【図２】
2004118253.tif 000004
【図３】
2004118253.tif 000005
【図４】
2004118253.tif 000006